(57)【要約】【課題】本発明の目的は、記録／再生のレーザー出力の切換えと、高周波モジュールＯＮ／ＯＦＦの切換えとを、サーボの動作を安定させた状態で同時に行うことができるディスクドライブ装置を提供することである。【解決手段】光ディスクドライブ装置の動作状態が記録状態から再生状態に切替えられる場合には、レーザー駆動回路１および光周波モジュール２は、レーザー発生装置３が発生しているレーザー光６を、高周波重畳されていない高パワーのレーザー光から、高周波重畳されている低パワーのレーザー光に切替える。この際、切替えノイズが発生し、フォトディテクター９を介して、サーボ回路１０入力する。これに対して、タイミング発生回路１１は、上記切替えが行われたときから一定時間、サーボ回路１０に対して、アクチュエーター１２の状態を切替え直前の状態に維持させる為のホールド信号を入力する。【選択図】        図１
2004272981.tif 000002
【特許請求の範囲】
【請求項１】
光ディスクを用いて、情報の記録または再生を行う光ディスクドライブ装置であって、
複数の強度パターンのレーザー光を切替えて出力可能であって、前記光ディスク上にレーザースポットを照射するレーザー光発生手段と、
前記レーザー光発生手段が発生するレーザー光に高周波重畳を行う高周波重畳手段と、
自機の動作状態が記録状態と再生状態との間で切替えが行われた場合に、前記レーザー光発生手段が発生するレーザー光の強度の切替えおよび前記高周波重畳手段の動作のＯＮとＯＦＦとの切替えを同時に行う切替手段と、
前記光ディスクに対する前記レーザースポットの照射位置を制御するサーボ手段と、
前記レーザー光発生手段が発生するレーザー光の強度パターンおよび前記高周波重畳手段の動作のＯＮとＯＦＦとが前記切替手段により切替えられた場合に、前記サーボ手段が制御している前記レーザスポットの照射位置を、前記切替え手段により切替えが行われたときの照射位置に一定時間強制的に維持するサーボ制御手段とを備える、光ディスクドライブ装置。
【請求項２】
前記光ディスク上で反射された反射レーザー光と当該反射レーザー光以外の光である迷光とを受光し、当該反射レーザー光および当該迷光を信号に変換して出力する受光手段と、
前記迷光による信号の信号値を、記録状態と再生状態とのそれぞれに対して記憶し、自機の状態の動作状態に応じて、前記記録状態での迷光による信号の信号値と再生状態での迷光による信号の信号値とを切替えて出力する記憶手段と、
前記記憶手段が出力する迷光による信号の信号値を、前記受光手段が出力する信号の信号値から減算して出力する減算手段とをさらに備え、
前記サーボ手段は、前記減算手段が出力した信号値に基づいて、前記レーザースポットの照射位置を制御する、請求項１に記載の光ディスクドライブ装置。
【発明の詳細な説明】
【０００１】
【発明の属する技術分野】
本発明は、光ディスクドライブ装置に関する発明であって、より特定的には、光ディスクを用いて、情報の記録または再生を行う光ディスクドライブ装置に関する発明である。
【０００２】
【従来の技術】
近年、ＭＤ（Ｍｉｎｉ  Ｄｉｓｃ）機器等の光ディスクドライブ装置のレーザーでは、記録時に記録メディアの盤面温度を上げるために、高出力のパワーが必要とされている。このような高出力のパワーのレーザーを実現するために、光ディスクドライブ装置のレーザーには、シングルモード発振のレーザーが使用される。ここで、このようなシングルモード発振のレーザーは、ディスクからの反射光との共振を受けやすいので、レーザー電流に高周波重畳を入れることが一般的に行われる。
【０００３】
ところで、記録メディアの盤面温度の温度上昇は、高周波重畳されたレーザーのパワーの平均値により定まる。これに対して、光ディスクドライブ装置のレーザー発生装置の寿命は、出力されるレーザーのパワーのピーク値により定まる。
【０００４】
しかしながら、最近の光ディスクドライブ装置では高倍速記録するものが現れており、ますますレーザーのパワーを高くする必要性が生じている。そこで、このような高速記録可能な光ディスクドライブ装置において、記録時のレーザーのパワーの平均値を上げるとともに、当該レーザーのパワーのピーク値を低くしてレーザー発生装置の寿命を落とさないような工夫が必要となってきている。
【０００５】
上記のような問題を解決するための光ディスクドライブ装置としては、高周波重畳が、記録状態ではＯＦＦにされ、再生状態ではＯＮにされる光ディスクドライブ装置が存在する。それでは、以下に、従来の光ディスクドライブ装置について説明する。
【０００６】
図４は、従来の光ディスクドライブ装置の高周波重畳のＯＮ、ＯＦＦとレーザー発生装置のレーザーのパワーの切換タイミングとを示した図である。図４において、レーザー出力制御信号は、レーザー発生装置が発生するレーザーのパワーの切替を行うための信号であって、Ｈは記録を示し、Ｌは再生を示している。レーザー発生装置は、当該レーザー出力制御信号に従って、出力するレーザーのパワーを、記録パワーである高出力状態と再生パワーである低出力状態との２つの状態に切替える。
【０００７】
ここで、上記従来の光ディスクドライブ装置では、レーザー出力が記録パワーから再生パワーに切換えられるときには、まずレーザー出力制御信号がＨからＬに切換わり、その後一定時間Ｔ１が経過してから、高周波モジュール切換え信号がＯＦＦからＯＮに切換わる。逆に、レーザー出力が、再生パワーから記録パワーに切換わるときには、高周波モジュール切換え信号がＯＮからＯＦＦに切換り、その後一定時間Ｔ２が経過してから、レーザー出力制御信号がＬからＨに切換わり、応じて、レーザー出力が再生パワーから記録パワーに切り替わる。
【０００８】
このように、レーザー出力の切替えと高周波モジュールのＯＮ、ＯＦＦの切替えとが同時行われない理由は、レーザー出力が高いとき（記録パワー時）に高周波モジュールの切換えが行われると、大きな切換えノイズがレーザー光に発生しサーボ動作が不安定になるためである。例えば、レーザー出力制御信号と高周波モジュール切換え信号との切換えタイミングが同じ（Ｔ１＝０、Ｔ２＝０）場合には、特に記録パワーから再生パワーに切換る時に大きな切換えノイズを発生する。そこで、上記従来の光ディスクドライブ装置は、レーザー出力が低いときに高周波モジュールを切換えることにより、切換えノイズを減らしてサーボ動作の安定性を図っている（特許文献１参照）。
【０００９】
しかしながら、図４ようなタイミングで高周波モジュールを切換えると、再生パワーの間に高周波モジュールＯＮの期間とＯＦＦの期間とが生じる。その為、レーザー出力は、図５に示すように、Ｔ２の間において変化する。なお、図５のレーザー出力以外の説明は図４と同じなので説明を省略する。このレーザー出力の変化は、迷光の変化を発生させるため、特に最近の迷光量の多い小型集積タイプの光ピックアップでは、このような迷光の変化がサーボの安定性を阻害する要因になっている。
【００１０】
上記問題に対して、レーザー出力の違いごとに迷光をキャンセルする光ディスクドライブ装置が存在する（特許文献２参照）。当該光ディスクドライブ装置によれば、レーザー出力の違い毎に迷光値が記憶され、記憶された迷光値に基づいて迷光がキャンセルされるので、サーボ動作の安定が図られる。
【００１１】
【特許文献１】
特開平７−２１０９０９号公報（図２）
【特許文献２】
特開平７−２３５０７２号公報（段落番号００４７）
【００１２】
【発明が解決しようとする課題】
しかしながら、上記従来の光ディスクドライブ装置では、レーザー出力値毎に迷光値が記憶されなければならない。より具体的には、当該光ディスクドライブ装置は、記録パワー時であって高周波モジュールがＯＮであるときの迷光値と、記録パワー時であって高周波モジュールがＯＦＦであるときの迷光値と、再生パワー時であって高周波モジュールがＯＮであるときの迷光値と、再生パワー時であって高周波モジュールがＯＦＦであるときの迷光値とを記憶しなければならない。その結果として、当該光ディスクドライブ装置の回路が増大し、制御が複雑になる問題がある。
【００１３】
そこで、本発明の目的は、記録／再生のレーザー出力の切換えと、高周波モジュールＯＮ／ＯＦＦの切換えとを、サーボの動作を安定させた状態で同時に行うことができ、その結果、迷光をキャンセルするために記憶する迷光値数を最小にできる光ディスクドライブ装置を提供することである。
【００１４】
【課題を解決するための手段】
上記従来の課題を解決するために、本発明の光ディスクドライブ装置は、レーザー光発生手段が発生するレーザー光の強度パターンおよび高周波重畳手段の動作のＯＮとＯＦＦとが切替手段により切替えられた場合に、サーボ手段が制御しているレーザスポットの照射位置を、切替え手段により切替えが行われたときの照射位置に一定時間強制的に維持するサーボ制御手段を有している。これにより、記録／再生のレーザー出力の切換えと、高周波モジュールＯＮ／ＯＦＦの切換えとを、サーボの動作を安定させた状態で同時に行うことができるようになる。
【００１５】
【発明の実施の形態】
（実施の形態１）
それでは、以下に、本発明の第１の実施形態に係る光ディスクドライブ装置について図面を参照しながら説明する。図１は、本発明の第１の実施形態に係る光ディスクドライブ装置の全体構成を示したブロック図である。
【００１６】
図１に示される光ディスクドライブ装置は、レーザー駆動回路１、高周波モジュール２、レーザー発生装置３、高周波切替え回路スイッチ４、光ディスク５、フォトディテクター９、サーボ回路１０、タイミング発生回路１１およびアクチュエーター１２を備える。記録／再生切替え信号ａは、光ディスクドライブ装置の記録状態と再生状態とを切替えるための信号である。電源＋Ｂは、高周波モジュール２の電源を示す。レーザー光６は、レーザー発生装置３から発せられたレーザー光である。レーザー反射光７は、レーザー光６が光ディスク５で反射して発生する反射光である。迷光８は、レーザー反射光７以外の光であり、サーボ回路１０の動作を不安定にさせる原因となるものである。
【００１７】
ここで、レーザー駆動回路１は、記録／再生切換え信号ａにより、レーザー駆動電流を切換える。より具体的には、当該レーザー駆動回路１は、記録状態では大きな電流値である記録電流、再生状態では小さな電流値である再生電流を出力する。高周波切替え回路スイッチ４は、記録／再生切換え信号ａにより、記録状態では電源＋Ｂと高周波モジュール２を切離して高周波モジュールＯＦＦ状態（高周波重畳無しの状態）にし、再生状態では電源＋Ｂと高周波モジュール２を接続し高周波モジュールＯＮ状態（高周波重畳有りの状態）にする。高周波モジュール２は、電源＋Ｂからの電源供給を受けて駆動し、レーザー発生装置３が発するレーザーに高周波重畳を行う。レーザー発生装置３は、レーザー駆動回路１から出力されてくる記録電流および再生電流の強度に応じた強度のレーザー光６を発振する。さらに、当該レーザー発生装置３は、高周波モジュール２の動作に応じて、高周波重畳されたレーザー光６又は高周波重畳されていないレーザー光６を発振する。すなわち、レーザー発生装置３は、高周波重畳された記録用のレーザー、高周波重畳されていない記録用のレーザー、高周波重畳された再生用のレーザーおよび高周波重畳されていない再生用のレーザーの４種類のレーザーを発振することが可能である。また、当該レーザー発生装置３は、レーザー光６の他に、迷光８を発振している。光ディスク５は、レーザー発生装置３から発信されたレーザー光６を反射して、レーザー反射光７を発する。
【００１８】
フォトディテクター９は、サーボ信号およびデータ信号であるレーザー反射光７を受光する受光素子であり、Ｆ１フォトディテクター９−１およびＦ２フォトディテクター９−２を含む。Ｆ１フォトディテクター９−１およびＦ２フォトディテクター９−２は、光ディスク５からのレーザー反射光７に含まれるフォーカスサーボ信号（以降、フォーカス信号と称す）を取得し、サーボ回路１０に当該フォーカス信号を伝える。なお、フォトディテクター９には、レーザー発生装置３から発振された迷光８も入射する。
【００１９】
サーボ回路１０は、フォーカス信号に基づいて、アクチュエーター１２の動作を制御して、レーザー光６が光ディスク５の盤面に照射される位置を制御する。より具体的には、サーボ回路１０は、フォーカス信号よりフォーカスエラー信号を作り出し、当該フォーカスエラー信号が０になるようフォーカス用のアクチュエーター１２を駆動し、光ディスク５のフォーカス方向の動きに対しレーザー光６のビームスポットを追従させるフォーカスサーボ制御を行う。アクチュエーター１２は、サーボ回路１０の制御に基づいて、光ディスクの上下動に追従するように、光ピックアップ（図１では省略されている）を上下動させる。
【００２０】
ここで、タイミング発生回路１１について説明する。タイミング発生回路１１は、記録／再生切換え信号ａが入力してくる度に、サーボ回路１０の動作をある時間だけ一定状態に維持させるホールド信号を作成して、サーボ回路１０に出力する。当該ホールド信号を取得したサーボ回路１０は、当該ホールド信号が入力してくる間、フォーカスサーボ制御をホールドし、アクチュエーター１２をホールド信号が入力してきたときの状態で保持する。
【００２１】
以上のように構成された本実施形態に係る光ディスクドライブ装置において、以下にその動作のタイミングについて図面を参照しながら説明する。ここで、図２は、本実施形態に係る光ディスクドライブ装置において、その動作状態が、記録状態、再生状態、記録状態と切替えられたときの、記録／再生切替え信号、ホールド信号、サーボ回路出力信号、レーザー駆動電流、高周波モジュール出力およびレーザー出力の時間的変化の様子を示した図である。ホールド信号は、図１のタイミング発生回路１１の出力波形を示したものである。サーボ回路出力信号は、図１のサーボ回路１０の出力を示したものである。レーザー駆動電流は、図１のレーザー駆動回路１の出力を示したものである。レーザー出力は、レーザー発生装置３から出力されるレーザーの強度を示している。
【００２２】
まず、記録／再生切換え信号ａは、記録状態、再生状態、記録状態と切換わる。当該変化が行われた記録／再生切替え信号ａを取得したタイミング発生回路１１は、図２の上から２段目に示されるようなホールド信号を発生する。より具体的には、タイミング発生回路１１は、当該記録／再生切換え信号ａが記録状態から再生状態に切り替ったときから一定時間Ｔだけホールド信号を、サーボ回路１０に対して出力する。同様に、タイミング発生回路１１は、当該記録／再生切替え信号ａが再生状態から記録状態に切り替ったときから一定時間Ｔだけホールド信号を、サーボ回路１０に対して出力する。
【００２３】
サーボ回路１０は、当該ホールド信号を取得している間には、サーボ制御を行わず、アクチュエーター１２をホールド信号が入力する直前の状態で保持する。すなわち、サーボ回路出力は、図２の上から３段目に示されるように、サーボ制御、ホールド、サーボ制御、ホールド、サーボ制御と切替えられる。
【００２４】
一方、レーザー駆動電流は、図２の上から４段目に示されるように、記録／再生切換え信号ａに従って、記録電流、再生電流、記録電流と切換えられる。ここで、レーザー駆動電流の記録電流から再生電流への切替えと、レーザー駆動電流の再生電流から記録電流への切替えとは、共に、ホールド信号が発生している期間内に行われる。
【００２５】
また、高周波モジュール出力も、図２の上から５段目に示されるように、記録／再生切換え信号ａに従って、ＯＦＦ、ＯＮ、ＯＦＦと、レーザー駆動電流の切替えタイミングと同じタイミングで切換えられる。ここで、高周波モジュール出力のＯＦＦからＯＮへの切替えと、高周波モジュール出力のＯＮからＯＦＦへの切替えとは、共に、ホールド信号が発生している期間内に行われる。
【００２６】
レーザー発生装置３は、当該レーザー駆動電流および高周波モジュール出力の切替えに応じて、図２の最下段に示すように、高周波重畳無しの記録パワー、高周波重畳ありの再生パワー、高周波重畳無しの記録パワーとその出力を切換える。
【００２７】
以上のように、本実施形態に係る光ディスクドライブ装置によれば、記録／再生切換え信号ａの切換りタイミングでホールド信号が作られて、サーボ回路１０の制御がホールドされるため、レーザー駆動電流の切換えと高周波モジュール切換えとが同時に行われても、サーボ回路１０は、記録／再生切換え信号ａの切換りタイミングでレーザー出力に発生する高周波切換えノイズの影響を受けなくなる。その結果、サーボ回路１０の動作の安定化が図られる。
【００２８】
（実施の形態２）
それでは、以下に、本発明の第２の実施形態に係る光ディスクドライブ装置について図面を参照しながら説明する。図３は、本実施形態に係る光ディスクドライブ装置の構成を示したブロック図である。
【００２９】
図３に示される光ディスクドライブ装置は、レーザー駆動回路１、高周波モジュール２、レーザー発生装置３、高周波切替え回路スイッチ４、光ディスク５、フォトディテクター９、サーボ回路１０、タイミング発生回路１１、アクチュエーター１２および迷光キャンセル回路１３を備える。
【００３０】
ここで、レーザー駆動回路１、高周波モジュール２、レーザー発生装置３、高周波切替え回路スイッチ４、光ディスク５、フォトディテクター９、サーボ回路１０、タイミング発生回路１１およびアクチュエーター１２は、第１の実施形態に係るものと同様であるので、説明を省略する。なお、これらの動作タイミングについても、第１の実施形態の図２で示されたものと同様であるので、説明を省略する。
【００３１】
迷光キャンセル回路１３は、迷光８を取り除く回路であり、電流電圧変換回路１３−１、迷光値記憶回路１３−２、減算器１３−３、電流電圧変換回路１３−４、迷光値記憶回路１３−５および減算器１３−６を含む。
【００３２】
電流電圧変換回路１３−１は、Ｆ１フォトディテクター９−１から出力されてくる信号を電圧変換し、迷光値記憶回路１３−２と減算器１３−３とに接続される。同様に、電流電圧変換回路１３−２は、Ｆ２フォトディテクター９−２から出力されてくる信号を電圧変換し、迷光値記憶回路１３−５と減算器１３−６とに接続される。
【００３３】
迷光値記憶回路１３−２は、Ｆ１フォトディテクター９−１が受けた迷光８の迷光値を記憶する回路である。同様に、迷光値記憶回路１３−６は、Ｆ２フォトディテクター９−２が受けた迷光８の迷光値を記憶する回路である。
【００３４】
ここで、迷光値記憶回路１３−２に、Ｆ１フォトディテクター９−１が受けた迷光８の迷光値を記憶させる方法について説明する。まず、光ディスク５が外された状態で、レーザー発生装置３からレーザーが出力される。これにより、Ｆ１フォトディテクター９−１には、レーザー反射光７が入力せず、迷光８のみが入力する。応じて、迷光値記憶回路１３−２は、このときの電流電圧変換回路１３−１の出力値を記憶する。なお、本実施形態では、レーザー出力は図２に示されるように、高周波重畳がない記録電流と、高周波重畳がある再生電流の２種類のみであるので、発生する迷光８の種類も２種類である。そこで、迷光値記憶回路１３−２に迷光値を記憶させる者は、上記２種類のレーザーをレーザー発生装置３に発生させて、それぞれの迷光８を迷光値記憶回路１３−２に記憶させればよい。なお、迷光値記憶回路１３−６に、Ｆ２フォトディテクター９−１が受けた迷光８の迷光値を記憶させる方法については、上記迷光値記憶回路１３−２の場合と同様であるので、説明を省略する。
【００３５】
減算器１３−３は、迷光値記憶回路１３−２にある迷光値を電流電圧変換回路１３−１の出力から減算する。同様に、減算器１３−６は、迷光値記憶回路１３−５にある迷光値を電流電圧変換回路１３−４の出力から減算する。
【００３６】
以上のように構成された、本実施形態に係る光ディスクドライブ装置について、以下にその動作について説明する。なお、レーザー駆動回路１、高周波モジュール２、レーザー発生装置３、高周波切替え回路スイッチ４、光ディスク５、フォトディテクター９、サーボ回路１０、タイミング発生回路１１およびアクチュエーター１２の動作タイミングは、第１の実施形態の図２で示されたものと同様であるので、説明を省略する。
【００３７】
それでは、迷光キャンセル回路１３の動作について、以下に説明する。なお、ここでは、図２の最下段のレーザー出力がなされたときに、当該迷光キャンセル回路１３が行う動作について説明する。
【００３８】
まず、最初は、記録状態の記録／再生切替え信号がレーザー駆動回路１、迷光値記憶回路１３−２および迷光値記憶回路１３−５等に入力する。応じて、レーザー発生装置３は、レーザー駆動回路１からのレーザー駆動電流にしたがって、記録パワーのレーザー光６を発振する。この際、当該レーザー発生装置３は、迷光８も出力する。当該レーザー光６は、光ディスク５で反射されて、レーザー反射光７となる。この後、Ｆ１フォトディテクター９−１には、レーザー反射光７および迷光８が入力する。
【００３９】
Ｆ１フォトディテクター９−１は、取得したレーザー反射光７および迷光８をフォーカス信号および迷光信号に変換して、電流電圧変換回路１３−１に対して出力する。
【００４０】
信号を取得した電流電圧変換回路１３−１は、取得した信号を電圧に変換して、減算器１３−３に出力する。
【００４１】
ここで、迷光値記憶回路１３−２には、記録状態を示す記録／再生切替え信号が入力している。そこで、迷光値記憶回路１３−２は、記憶している迷光値の内、高周波重畳無しであって記録状態の迷光値を減算器１３−３に出力する。
【００４２】
応じて、減算器１３−３は、電流電圧変換回路１３−１からの出力から、迷光値記憶回路１３−２からの出力をそれぞれ減算する。これにより、減算器１３−３からの出力は、フォーカス信号のみとなりサーボ回路１０で迷光の影響がない正確なサーボ制御ができる。
【００４３】
次に、入力してくる記録／再生切替え信号が記録状態から再生状態に切替わった場合について説明する。まず、再生状態を示す記録／再生切替え信号が、レーザー駆動回路１、迷光値記憶回路１３−２および迷光値記憶回路１３−５等に入力する。応じて、レーザー発生装置３は、第１の実施形態で説明したように、高周波重畳された再生用のレーザー光６を発振する。
【００４４】
この後、記録状態の場合と同様に、光ディスク５においてレーザー光６が反射されて、レーザー反射光７として、Ｆ１フォトディテクター９−１に入力する。また、記録状態の場合と同様に、Ｆ１フォトディテクター９−１には、迷光８が入力してくる。
【００４５】
レーザー反射光７および迷光８を受光したＦ１フォトディテクター９−１は、記録状態の場合と同様に、当該レーザー反射光７および当該迷光８をフォーカス信号および迷光信号に変換して、電流電圧変換回路１３−１に対して出力する。
【００４６】
各信号を取得した電流電圧変換回路１３−１は、取得した信号を電圧に変換して、記録状態の場合と同様に、減算器１３−３に出力する。
【００４７】
ここで、迷光値記憶回路１３−２には、再生状態を示す記録／再生切替え信号が入力している。そこで、迷光値記憶回路１３−２は、記憶している迷光値の内、高周波重畳有りであって再生状態の迷光値を減算器１３−３に出力する。
【００４８】
応じて、減算器１３−３は、電流電圧変換回路１３−１および電流電圧変換回路１３−４からの出力から、迷光値記憶回路１３−２からの出力を減算する。これにより、減算器１３−３からの出力は、フォーカス信号のみとなりサーボ回路１０で迷光の影響がない正確なサーボ制御ができる。
【００４９】
なお、光ディスクドライブ装置が再生状態から再び記録状態に切替えられる場合には、上述した、再生状態における動作が行われる。
【００５０】
なお、ここでは、電流電圧変換回路１３−１、迷光値記憶回路１３−２および減算器１３−３が行う動作のみについて説明を行ったが、電流電圧変換回路１３−４、迷光値記憶回路１３−５および減算器１３−６が行う動作についても、上記動作と同様であるので、説明を省略する。
【００５１】
ここで、従来の光ディスクドライブでは、高周波モジュールの切替えタイミングとレーザー駆動の切替えタイミングとにタイムラグを持たせていたので、レーザー出力が３種類（高周波重畳無しの記録パワー、高周波重畳有りの再生パワー、高周波重畳無しの再生パワー）発生しており、これに対応して、迷光も３種類発生していた。
【００５２】
しかしながら、本実施形態に係る光ディスクドライブ装置によれば、記録／再生の切替えの際に、レーザー駆動回路と高周波モジュールとの切替えが同時に行われることにより、レーザー出力が２パターンしか発生しないので、レーザー光とともに発生する迷光の強度も２種類しか発生しない。その為、迷光キャンセル回路１３で記憶される迷光値が２種類ですむようになる。その結果、本実施形態に係る光ディスクドライブ装置は、第１の実施形態での効果に加えて、内部構成の簡素化という更なる効果が得られる。
【００５３】
なお、第１の実施形態および本実施形態に係るホールド信号が発生される時間は、ＭＤシステムである場合には、３００μＳｅｃ程度が好ましい。これは、ホールド信号が発生している間は、サーボ制御が行われないので、当該時間があまり長い時間に設定されるのは好ましくないからである。
【００５４】
なお、図１および図２では、フォーカス信号を検出するＦ１フォトディテクター９−１とＦ２フォトディテクター９−２とが上げられているが、本実施形態に係る光ディスクドライブ装置のピックアップは、トラッキング信号用のフォトディテクターも備える。そして、フォーカスサーボ制御のホールドと同様に、トラッキングサーボ制御に関しても、ホールド信号にてホールドすることが可能である。
【００５５】
なお、本実施形態では、フォーカスサーボ制御についてのみ説明を行ったが、トラッキングサーボ制御についてもフォーカスサーボ制御と同様に迷光による悪影響を取り除くことが可能である。
【００５６】
なお、第１の実施形態および本実施形態では、フォトディテクター９に含まれるフォトディテクターの数は２個であるが、当該フォトディテクターの数はこれに限られない。
【００５７】
なお、第１の実施形態および本実施形態では、サーボ回路１０の制御をホールドするために、タイミング発生回路１１は、一定時間のホールド信号を出力するものとしているが、当該サーボ回路１０の制御をホールドする方法は、これに限られない。例えば、記録状態と再生状態との切替えがあった場合には、タイミング発生回路は、サーボ回路１０に対してトリガー信号を出力する。当該トリガー信号を受信したサーボ回路１０は、その制御が一定時間ホールドされる。以上のような構成によっても、サーボ回路の制御をホールドすることは可能である。
【００５８】
【発明の効果】
以上のように、本発明の光ディスクドライブ装置によれば、、記録／再生切換え信号一つでレーザー駆動回路と高周波モジュールとの切換えを同時に行うことが可能となり、また簡素な記憶回路でサーボ信号に不必要な迷光値を除去できるので、非常に安定したサーボ動作を得られるという有利な効果が得られる。
【図面の簡単な説明】
【図１】本発明の第１の実施形態に係る光ディスクドライブ装置の全体構成を示したブロック図である。
【図２】本発明の第１の実施形態に係る光ディスクドライブ装置の各構成部の出力の動作タイミングを示した図である。
【図３】本発明の第２の実施形態に係る光ディスクドライブ装置の全体構成を示したブロック図である。
【図４】従来の光ディスクドライブ装置の動作タイミングの説明に用いる図である。
【図５】従来の光ディスクドライブ装置の動作タイミングの説明に用いる図である。
【符号の説明】
１  レーザー駆動回路
２  高周波モジュール
３  レーザー発生回路
４  高周波切替え回路スイッチ
５  光ディスク
６  レーザー光
７  レーザー反射光
８  迷光
９  フォトディテクター
９−１  Ｆ１フォトディテクター
９−２  Ｆ２フォトディテクター
１０  サーボ回路
１１  タイミング発生回路
１２  アクチュエーター
１３  迷光キャンセル回路
１３−１，１３−４  電流電圧変換回路
１３−２，１３−５  迷光地位奥回路
１３−３，１３−６  減算器
【図１】
2004272981.tif 000003
【図２】
2004272981.tif 000004
【図３】
2004272981.tif 000005
【図４】
2004272981.tif 000006
【図５】
2004272981.tif 000007